(57)【要約】【課題】構造が簡単で素材の使用量も少なく、かつボトルを取り付けた時安定性に優れるボトルホルダーを提供することを課題とする。【解決手段】方形状の台紙の短手方向中央に長手方向に平行な横折り目を設け、適当な間隔を隔てて該折り目を中心に線対称となるように下側切り欠きを複数個設け、また下側切り欠きの短手方向の両側に該横折り目を中心に線対称となるように同じ形状の中切り欠きを設け、前記下側切り欠きの長手方向両端と長手方向中央を通過する台紙短手方向に平行な縦折り目を設け、下側切り欠きの長手方向両端を通過する縦折り目を設け、下側切り欠きの長手方向両端を通過する縦折り目から適当な間隔を隔てて別の下側切り欠きの両端を通過する縦折り目が有る場合にはその縦折り目同士の間を、適当な間隔を隔てて別の下側切り欠きの両端を通過する縦折り目がない場合には、縦折り目と台紙の短手側端部との間を貼着部としたことを特徴とする。【選択図】図１
2007238115.tif 000002
【特許請求の範囲】
【請求項１】
方形状の台紙の短手方向中央に長手方向に平行な横折り目を設け、適当な間隔を隔てて該折り目を中心に線対称となるように下側切り欠きを複数個設け、また下側切り欠きの短手方向の両側に該横折り目を中心に線対称となるように同じ形状の中切り欠きを設け、前記下側切り欠きの長手方向両端と長手方向中央を通過する台紙短手方向に平行な縦折り目を設け、下側切り欠きの長手方向両端を通過する縦折り目を設け、下側切り欠きの長手方向両端を通過する縦折り目から適当な間隔を隔てて別の下側切り欠きの両端を通過する縦折り目が有る場合にはその縦折り目同士の間を、適当な間隔を隔てて別の下側切り欠きの両端を通過する縦折り目がない場合には、縦折り目と台紙の短手側端部との間を貼着部としたことを特徴とするボトルホルダー。
【請求項２】
前記下側切り欠きは、縦折り目と縦折り目との間に円弧状に設けたものであることを特徴とする請求項１記載のボトルホルダー。
【請求項３】
貼着部の端部側またはボトル固定部の端部側に表示部を設けたことを特徴とする請求項１または２に記載のボトルホルダー。
【発明の詳細な説明】
【技術分野】
【０００１】
本発明は、複数のボトルを一体に連結して持ち運び易くしたボトルホルダーに関する。
【背景技術】
【０００２】
従来、複数の容器を保持できるようにしたホルダーに関しては、下記のような構造のものが知られている。
【特許文献１】特開昭５５−９７３５７号公報
【特許文献２】特開昭５７−１０６１号公報
【特許文献３】実開昭６１−１０５６６２号公報  特許文献１のボトルホルダーは、ボトルを保持させた時に安定性はあるが、構造が複雑で素材の使用量が多く、組み立てが煩雑でコストが高くなる。  特許文献２のボトルホルダーは、構造が簡単で素材の使用量も少なく、安価でかつ組み立ても簡単であるが、ボトルを取り付けた時の安定性が良くない。  特許文献３のホルダーは、容器の頂部につばのある容器の保持には適しているが、ボトルのような頂部につばの無い容器の保持には適していない。
【発明の開示】
【発明が解決しようとする課題】
【０００３】
本願は、構造が簡単で素材の使用量も少なく、かつボトルを取り付けた時安定性に優れるボトルホルダーを提供することを課題とする。
【課題を解決するための手段】
【０００４】
上記課題を解決するために、方形状の台紙の短手方向中央に長手方向に平行な横折り目を設け、適当な間隔を隔てて該折り目を設け、適当な間隔を隔てて該折り目を中心に線対称となるように下側切り欠きを複数個設け、また下側切り欠きの短手方向の両側に該横折り目を中心に線対称となるように同じ形状の中切り欠きを設け、前記下側切り欠きの長手方向両端と長手方向中央を通過する台紙短手方向に平行な縦折り目を設け、下側切り欠きの長手方向両端を通過する縦折り目を設け、下側切り欠きの長手方向両端を通過する縦折り目から適当な間隔を隔てて別の下側切り欠きの両端を通過する縦折り目が有る場合にはその縦折り目同士の間を、適当な間隔を隔てて別の下側切り欠きの両端を通過する縦折り目がない場合には、縦折り目と台紙の短手側端部との間を貼着部としたことを特徴とする。
また、本発明のボトルホルダーは、前記下側切り欠きは、縦折り目と縦折り目との間に円弧状に設けたものであることを特徴とする。
さらに本発明のボトルホルダーは、貼着部の端部側またはボトル固定部の端部側に表示部を設けたことを特徴とする。
【発明の効果】
【０００５】
本願のボトルホルダーは以上のような構成であるから、構造が簡単で素材の使用量も少なく、省資源かつ安価に製造が可能となると共に、ボトルを取り付けた時安定性に優れるボトルホルダーの提供が可能となる。
【発明を実施するための最良の形態】
【０００６】
図面を用いて本願のボトルホルダーについて説明する。図１は本発明のボトルホルダーの例の展開図であり、図２は、本例のボトルホルダーを組み立てた状態を示す斜視図で、図３はボトルを固定した時の状態を示す説明図である。
本願のボトルホルダー１は、方形状の台紙２の短手方向中央に長手方向に平行な横折り目１１を設け、適当な間隔を隔てて該横折り目１１を中心に線対称となる位置に下側切り欠き１２を複数個設けている。下側切り欠き１２１、１２２は、該横折り目１１を中心に線対称の形状にするとすっきりしたデザインになるが、必ずしも線対称である必要はない。また下側切り欠き１２１、１２２の短手方向の両側にボトルの首の凸部３１を支持するボトル支持部１５１、１５２、１５３、１５４を介して同じ形状の中切り欠き１３１、１３２、１３３、１３４を設けている。さらに中切り欠き１３１、１３２、１３３、１３４はボトル固定部１６１、１６２、１６３、１６４を介して端部１８に至っている。
【０００７】
前記下側切り欠き１２１，１２２の長手方向両端と長手方向中央には、長手方向両端と長手方向中央を通過する台紙２短手方向に平行な縦折り目１４１，１４２，１４３，１４４，１４５，１４６が形成されており、１４１、１４３、１４４、１４６を谷折りし、１４２、１４５を山折りし、下側切り欠き１２１、１２２の長手方向両端を通過する縦折り目１４３、１４４はその間を縦折り目１４１、１４６はそこから端部１９側を貼着部１７１、１７２、１７３としたことで、図２に示すように組み立てた時に、ボトル支持部１5１、１５３及びボトル固定部１６１、１６３で囲まれた空間、ボトル支持部１５２、１５４及びボトル固定部１６２、１６４で囲まれた空間にボトル３の首を差し込むとボトルの首の凸部３１がボトル固定部１６１、１６２、１６３、１６４に支持され、図３に示す様に複数のボトル３を安定的に支持することができる。
【０００８】
ところで、中切り欠き１３１、１３２、１３３、１３４も、該横折り目１１を中心に線対称となる位置に線対称となる形状で設けるとすっきりしたデザインになる。しかし、必ずしも形状は線対称である必要はなく、ボトル３を支持した時にボトルが同じ高さになるよう凸部３１を支持できれば、中切り欠き１３１、１３２、１３３、１３４のボトル固定部側は直線状、楕円、山形の他、図４に示す様に任意の形状のデザイン部２１を設けて意匠性を持たせてもいい。
【０００９】
また、貼着部１７１，１７２，１７３の端部１８側及びボトル固定部１６１、１６２、１６３、１６４の端部１８側に図５に示すように任意形状の突出部を形成し、キャンペーンの告知等が可能な表示部２０としても良い。さらに本発明にいては、ボトル固定部１６１、１６２，１６３、１６４の端部１８をボトル３の頂部の高さと一致させすっきりした形状にしたが、必ずしも一致させる必要はなく、図６に示すように必要に応じてボトル頂部よりも突出させたり窪ませたりし、意匠性を付与してもよい。
【００１０】
次に本発明のボトルホルダーの製造方法について説明する。本発明のボトルホルダーは、原紙である板紙にホルダー表面へのキャンペーンの告知等となる印刷をし、縦・横の折り目となる部分に折り筋を形成し、次いでボトルホルダーを所定形状に打ち抜く。貼着部１７１、１７２、１７３に糊付けを施した後、横折り目１１から二つ折りして貼着け部１７１、１７２、１７３を貼り合わせ完成する。
【００１１】
ここで使用する板紙は厚さ０．１mm〜５．０mmの厚紙、板紙、段ボール等が使用可能である。また印刷方法は、凸版、オフセット、グラビア、スクリーン等の方法により行う。貼着部１７１、１７２、１７３への糊付けは、ローラーによる回転接触、ノズルからの塗布、ダイからの押し出し等により塗布が可能である。製造は、一連の工程を組み込んだ機械で行ってもよく、またその一部または全工程を別々の機械で行ってもよい。
【００１２】
上記構成とすることにより、本願のボトルホルダーは組み立てた時に下側切り欠き１２が大きく開口し、ボトルのキャップ部分の挿通が可能となると共に、中切り欠き１３にキャップ下端の突起が係止可能となり、ボトルを固定することができる。
【産業上の利用可能性】
【００１３】
本発明のボトルホルダーは、複数のボトルを一体に連結して持ち運び易くすると共に、表面にキャンペーンの告知等印刷を施すことでより消費者の関心を惹くための手段となり、また景品を取り付けるために利用することもできる。
【図面の簡単な説明】
【００１４】
【図１】図１は本発明のボトルホルダーの展開図である。
【図２】図２は本発明のボトルホルダーを組み立てた状態を示す斜視図である。
【図３】図３は本発明のボトルホルダーの使用状態を示す斜視図である。
【図４】図４は本発明のボトルホルダーの中切り欠きにデザイン部を設け意匠性を付与した状態を示す概略図である。
【図５】図５は本発明のボトルホルダーの貼着部に表示部を設けた状態を示す概略図である。
【図６】図６は本発明のボトルホルダーのボトル固定部の端部の高さを変化させ、ボトルの頂部より突出させたり窪ませたりした状態を示す概略図である。
【符号の説明】
【００１５】
１：ボトルホルダー
２：台紙
１１：横折り目
１２１，１２２：下側切り欠き
１３１，１３２，１３３，１３４：中切り欠き
１４１，１４２，１４３，１４５，１４６：縦折り目
１５１，１５２，１５３，１５４：ボトル支持部
１６１，１６２，１６３，１６４：ボトル固定部
１７１，１７２，１７３：貼着部
１８：（長手側）端部
１９：（短手側）端部
２０：表示部
２１：デザイン部
２２：突出部
２３：窪み
【図１】
2007238115.tif 000003
【図２】
2007238115.tif 000004
【図３】
2007238115.tif 000005
【図４】
2007238115.tif 000006
【図５】
2007238115.tif 000007
【図６】
2007238115.tif 000008